(57)【要約】【課題】  球発射装置の取付板の振動を抑制して騒音の発生を抑制するとともに、安定して遊技球を発射することが可能な遊技機を提供する。【解決手段】  遊技盤を装着する内枠３に固定され、その遊技盤上に形成された遊技領域に向けて遊技球を発射する球発射装置６を備え、その球発射装置６は、自身又は内枠３に設けられた複数の取付ボス３１を介して取付板２０が位置決め固定されるとともに、その取付板２０と内枠３との間に弾性部材２６を圧縮した状態で介在させて取り付けられている。【選択図】図４
2010246814.tif 000002
【特許請求の範囲】
【請求項１】
遊技盤を装着する内枠に固定され、その遊技盤上に形成された遊技領域に向けて遊技球を発射する球発射装置を備えた遊技機であって、
前記球発射装置は、自身又は前記内枠に設けられた複数の取付ボスを介して取付板が位置決め固定されるとともに、その取付板と前記内枠との間に弾性部材を圧縮した状態で介在させて取り付けられていることを特徴とする遊技機。
【請求項２】
前記弾性部材は、前記球発射装置の取付板と前記内枠とが対向する重合領域全体で、該取付板と内枠との間に介在する請求項１に記載の遊技機。
【請求項３】
前記内枠には、前記取付ボスを有して前記球発射装置を収容する収容部が形成され、前記弾性部材は、その内枠の収容部の内側面と前記球発射装置の取付板の側壁部との間に介在する請求項１又は２に記載の遊技機。
【請求項４】
前記弾性部材は、前記球発射装置の取付板の側壁部全周に亘り前記内枠の収容部の内壁面との間に介在する請求項３に記載の遊技機。
【請求項５】
前記弾性部材は、ゴムと遮音材とが積層されて形成されている請求項１ないし４のいずれか１項に記載の遊技機。
【発明の詳細な説明】
【技術分野】
【０００１】
本発明は、遊技機に関する。
【背景技術】
【０００２】
ぱちんこ機、アレンジボール遊技機、雀球遊技機等の遊技機では、遊技盤上に形成された遊技領域に向けて遊技球を発射する球発射装置が設けられている。
【０００３】
従来の遊技機には、球発射装置において、発射モータ、弾球槌、発射レールが鋼板や樹脂板などの取付板に一体に組み付けられユニット化されたものがある（例えば、特許文献１参照。）。
【先行技術文献】
【特許文献】
【０００４】
【特許文献１】特開２００６−２９６７３３号公報
【０００５】
特許文献１に記載の技術によれば、弾球槌が組み付けられた取付板は、その弾球槌が遊技球を弾球（発射）すると、その作用及び衝撃により振動が発生する。その振動が発射レールに伝わると安定した弾球を得ることが難しくなるため、取付板と発射レールとの間に、隙間やゴムなどの振動吸収部材を配置して、弾球槌により遊技球が発射した際の取付板の振動を発射レールに伝わりにくくしたものである。
【発明の概要】
【発明が解決しようとする課題】
【０００６】
しかしながら、特許文献１では、取付板の振動を発射レールに伝わり難くして、発射レールが振動するのを抑制しているが、その発射レールの振動の原動側である取付板の振動に対しては、何ら問題視されておらず、問題を完全に解決したとは言い切れない。
【０００７】
特に球発射装置の取付板は、安定して弾球槌を支持する必要があるため、強固な鋼板などが使用されており、弾性係数が高く、振動し易くなりまた振動の減衰も遅くなるという特性を有している。そして、この振動により遊技者に不快感を与えかねない騒音が発生し、またその騒音が大きく長く続く虞がある。
【０００８】
本発明の課題は、上記実情に鑑みてなされたものであり、球発射装置の取付板の振動を抑制して騒音の発生を抑制するとともに、安定して遊技球を発射することが可能な遊技機を提供することにある。
【課題を解決するための手段】
【０００９】
上記課題を解決するために、本発明の遊技機は、
遊技盤を装着する内枠に固定され、その遊技盤上に形成された遊技領域に向けて遊技球を発射する球発射装置を備えた遊技機であって、
球発射装置は、自身又は内枠に設けられた複数の取付ボスを介して取付板が位置決め固定されるとともに、その取付板と内枠との間に弾性部材を圧縮した状態で介在させて取り付けられていることを特徴とする。
【発明の効果】
【００１０】
上記本発明の遊技機によれば、球発射装置の取付板が内枠に対して弾性部材を圧縮した状態で介在して取り付けられているので、取付板と弾性部材が直接密着（圧接）した状態となり、弾性部材が制振材として機能し取付板の振動を抑制することができる。ひいては、騒音の発生を抑制することができ、振動の影響を抑制した状態で安定して遊技領域に向けて遊技球を発射することが可能となる。すなわち、球発射装置が遊技球を発射した際にその衝撃で取付板が振動したとしても、取付板に密着した弾性部材にその振動が伝播されるときに、弾性部材の伸縮変形によって振動をダンピング（粘性減衰）して抑制することができる。これにより、取付板の振動自体が減少し、その減衰時間も早くなって騒音が生じにくくなる。
【００１１】
弾性部材は、球発射装置の取付板と内枠とが対向する重合領域全体で、該取付板と内枠との間に介在する構成を採用することができる。これによれば、弾性部材と取付板との接触面積が大きくなり、より一層取付板の振動を減衰（抑制）することができる。
【００１２】
また、内枠には、取付ボスを有して球発射装置を収容する収容部が形成され、弾性部材は、その内枠の収容部の内側面と球発射装置の取付板の側壁部との間に介在する構成を採用することができる。これによれば、取付板が弾性部材によって側方から支持されるので、球発射装置が遊技球を発射する際に、例えば、発射槌がストッパーに衝突した衝撃による取付ボスへの負荷を軽減するとともに、振動する取付板を側方からも支持することができる。ひいては、取付板の振動を効果的に減衰（抑制）することができる。
【００１３】
弾性部材は、球発射装置の取付板の側壁部全周に亘り内枠の収容部の内壁面との間に介在する構成を採用することができる。これによれば、弾性部材が取付板の側壁部を取り囲むように全周に亘り配置されているので、取付板に対して側方から均等な荷重を掛けて安定して配置することができ、取付板が振動した際には、周囲全体で取付板の振動を効果的に減衰（抑制）することができる。
【００１４】
弾性部材は、ゴムと遮音材とが積層されて形成した構成を採用することができる。これによれば、振動により発生した騒音を効果的に吸収することができ、ひいては、遊技者が不快な思いをすることなく、遊技を楽しむことができる。例えば、ゴムシートに多孔質材（フェルト、ウレタン等）を接着したもので形成することができる。これにより、ゴム層ではその粘性（弾性）によって振動を減衰させ、多孔質材層では遮音するとともに、ダンパーの役割を担う。そして、発生した音は多孔質材で振動が減衰され、ゴムの表面に当たって反射する。反射した音はさらに多孔質材によって減衰され、取付板で反射し再び多孔質材によって減衰されることを繰り返すことにより透過音を封じ込めることができる。
【図面の簡単な説明】
【００１５】
【図１】本発明の実施形態に係る遊技機の一例を示す正面図である。
【図２】図１の遊技機の前枠を開放した状態の斜視図である。
【図３】球発射装置の正面図である。
【図４】図３の球発射装置の断面に対応した取付構造を示す図である。
【図５】球発射装置の取付工程を説明する図である。
【図６】弾性部材の他の実施形態を示す図である。
【発明を実施するための形態】
【００１６】
以下、本発明における実施形態について図面を参照しつつ説明する。
【実施例】
【００１７】
図１及び図２に示すように、遊技機（以下、ぱちんこ機ともいう）１は、そのぱちんこ機１の外郭を形成する額縁状の外枠２を備えている。外枠２には、ヒンジ２ａを介して前面側に向かって片開き可能な内枠３が支持されている。内枠３には、ヒンジ２ｂを介して前面側に向かって片開き可能な前枠４が支持されている。内枠３には、ガイドレール５ａにより遊技領域５ｂが形成された遊技盤５が装着され、その遊技盤５の下方に遊技領域５ｂに向けて遊技球を発射する球発射装置６が設けられている。なお、内枠３には、球発射装置６を収容する収容部３０が形成され、その収容部３０にはビス等の締結部材３０ａを介して球発射装置６を位置決め固定する複数の取付ボス３１が設けられている（図４参照）。
【００１８】
また、前枠４の前面下側には、貸球や賞球等の遊技球を貯留し、その貯留した遊技球を整流して球発射装置６に供給する上球受皿７と、その上球受皿７から溢れた余剰球を貯留する下球受皿８と、球発射装置６が遊技球を発射する発射力を調節するための発射ハンドル９とが設けられている。前枠４の背面側には、上球受皿７に貯留された遊技球を球発射装置６に１個ずつ供給する球送り装置１０が設けられている。
【００１９】
なお、本明細書において、ぱちんこ機１における上下方向とは遊技盤５の盤面に沿う態様で遊技領域５ｂを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ｂの反対側）が後側である。
【００２０】
以下、球発射装置６について詳しく説明する。球発射装置６は、図３及び図４に示すように、鋼板や樹脂板によって板状形態で形成され、内枠３に設けられた複数の取付ボス３１を介して位置決め固定される取付板２０を備えている。また、球発射装置６は、遊技球を打球する打球槌２１と、その打球槌２１を回動軸２２ａで回動させる打球槌アクチュエータ（例えば、ロータリーソレノイドやモータ）２２と、発射位置（発射台）を形成するとともに打球槌２１によって打球された遊技球を遊技領域５ｂに向けて誘導する発射レール２３と、打球槌２１の回動範囲を規制するストッパー２４，２５とがそれぞれ取付板２０に一体に組み付けられている。
【００２１】
ここで、球発射装置６は、図４に示すように、取付板２０と内枠３との間にゴムシートなどの弾性部材２６を圧縮した状態で介在させて取り付けられている。具体的には、球発射装置６は、取付板２０が内枠３の収容部３０の開口面積よりも一回り小さく、収容部３０の内壁面３３との間に隙間を有する大きさで形成され、その内枠３の収容部３０に収容される形で位置決め固定されている。そして、弾性部材２６は、球発射装置６の取付板２０と収容部３０の底壁３２とが対向する重合領域全体で、取付板２０と該底壁３２との間に介在するように形成されている。また、弾性部材２６は、収容部３０の内側面３３と取付板２０の側壁部２０ａとの間に介在するように形成されている。そして、弾性部材２６は、取付板２０の側壁部２０ａの全周に亘り収容部３０の内壁面３３との間に介在するように形成されている。
【００２２】
次に、図５を用いて、内枠３の収容部３０と弾性部材２６との関係について、球発射装置６の組み付け手順とともに説明する。まず、弾性部材２６は、内枠３の収容部３０に対応して形成され、厚みｈ１が収容部３０の開口から底壁３２までの深さｈ２とほぼ同じに形成されている。また、弾性部材２６は、取付板２０の側壁部２０ａからはみ出て形成されている。具体的には、取付板２０が収容部３０の内壁面３３との間に隙間を有する大きさで形成されており、その隙間分だけはみ出るように弾性部材２６が形成されている。弾性部材２６は、取付ボス３１が挿通される挿通孔２６ａが形成されている。
【００２３】
また、弾性部材２６は、両面テープや接着剤などにより、取付板２０の背面側に接着固定することができる（なお、弾性部材２６は、収容部３０側に配置してもよい）。そして、球発射装置６は、取付板２０で収容部３０の底壁３２に弾性部材２６を押圧（圧縮）しながら、取付板２０を取付ボス３１の先端に当接する位置に配置させ、締結部材３０ａによって固定する（図４（ａ）参照）。これにより、球発射装置６は、取付板２０と内枠３との間に弾性部材２６を簡単に圧縮した状態で配置することができる。なお、取付ボス３１は、収容部３０の開口から底壁３２までの深さｈ２よりも低く形成されており（例えば、取付板２０の厚み分だけ）、これにより、取付板２０を取付ボス３１の先端に当接させることで、弾性部材２６を圧縮させることができる。
【００２４】
これにより、取付板２０に一体に組み付けられた打球槌２１が発射レール２３の発射位置に配置された遊技球を打球したときに、ストッパー２４に衝突してその衝撃により取付板２０に振動が生じても、弾性部材２６が取付板２０の背面側に密着（圧縮）した状態で配置されているので、その振動を効果的に減衰（抑制）することができ、騒音の発生を抑制することが可能となる。ひいては、取付板２０に一体に組み付けられた打球槌２１や発射レール２３においても、振動の影響が抑制され、安定して遊技領域５ｂに遊技球を発射することができる。
【００２５】
なお、収容部３０の底壁３２には、打球槌アクチュエータ２２などが配置されるように、窓部３２ａが形成されている。これにより、窓部３２ａが後方側に開口し、取付板２０及び弾性部材２６によって収容部３０の開口を塞ぐことができるので、振動により騒音が発生したとしても、遊技者とは反対側に向けて放出させることができ、遊技者への影響を抑制することができる。
【００２６】
次に、弾性部材２６の他の実施形態について説明する。弾性部材２６は、図６に示すように、ゴムシート層２７と、フェルトやウレタン等の多孔質材としての遮音材層２８とを積層して形成することができる。そして、弾性部材２６は、ゴムシート層２７が取付板２０側に配置され、遮音材層２８が内枠３の底壁３２側に配置されている。これにより、弾性部材２６に遮音材層２８を配置することにより、取付板２０が振動して、騒音が発生した場合にも、効果的にその騒音を吸収することが可能となる。
【００２７】
本発明では遊技機の一例としてぱちんこ機について説明したが、他に例えばアレンジボール遊技機、雀球遊技機等の球発射装置が設けられる遊技機に適用することができる。例えば、弾性部材２６に取付板２０の側壁部２０ａを取り囲むような凹部（段部）を形成し、内枠３の収容部３０に取付板２０（球発射装置６）を取り付ける前から、側壁部２０ａ取り囲む構成としてもよい。これによれば、取付板２０（球発射装置６）に対する弾性部材２６の配置が容易となる。また、取付板２０を樹脂材で形成する場合には、内枠３側の取付ボス３１を球発射装置６側に形成する構成としてもよい。
【符号の説明】
【００２８】
１  ぱちんこ機（遊技機）
２  外枠
３  内枠
４  前枠
５  遊技盤
６  球発射装置
２０  取付板
２０ａ  側壁部
２１  打球槌
２２  打球槌アクチュエータ
２３  発射レール
２４，２５  ストッパー
２６  弾性部材
２７  ゴムシート層（ゴム）
２８  遮音材層（遮音材）
３０  収容部
３１  取付ボス
３２  底壁
３３  内壁面
【図１】
2010246814.tif 000003
【図２】
2010246814.tif 000004
【図３】
2010246814.tif 000005
【図４】
2010246814.tif 000006
【図５】
2010246814.tif 000007
【図６】
2010246814.tif 000008